(57)【要約】【課題】  平面鏡としては勿論のこと、平面鏡の前面に凸レンズの働きをする透明なプラスチック板を重ねて平面鏡上の像を拡大し、歪みのない拡大鏡にもなり、顔の局部を大きく映し出すのに便利になる。【解決手段】  ケース本体１と蓋体２の間に透明なプラスチック板３を介在して上端部をヒンジ結合した３部材からなるコンパクトミラーである。蓋体２の内面側に平面鏡１２を取り付ける。透明なプラスチック板３の片面を円弧面１５に形成して凸レンズ作用をなすクリアな透視部１６を設ける。【選択図】        図４
2006141512.tif 000002
【特許請求の範囲】
【請求項１】
ケース本体と蓋体の間に透明なプラスチック板を介在して上端部をヒンジ結合した３部材からなるコンパクトミラーであって、蓋体の内面側に平面鏡を取り付けると共に、透明なプラスチック板の片面を円弧面に形成して凸レンズ作用をなすクリアな透視部を設けたことを特徴とするコンパクトミラー。
【請求項２】
ケース本体、蓋体、透明なプラスチック板は正面形状が概略円形に形成されている請求項１記載のコンパクトミラー。
【請求項３】
ケース本体、蓋体、透明なプラスチック板は正面形状が概略四角形に形成されている請求項１記載のコンパクトミラー。
【発明の詳細な説明】
【技術分野】
【０００１】
本発明は、ハンドバッグやポケットの中に入れて携帯して適時に取り出し、身だしなみを整えたり、化粧直しの際に用いるのに至便な手鏡あるいは卓上鏡として使用できるコンパクミラーに関するものであり、さらに詳しくは、平面鏡と拡大鏡の二つの機能を備えたコンパクトミラーに関するものである。
【背景技術】
【０００２】
従来から、ハンドバッグやポケットの中に入れて携帯する二つ折りタイプのコンパクトミラーは、主として、身だしなみを整えたり、化粧直しあるいはコンタクトレンズの装着時などの際に使用されており、小型で薄くて軽量であることから携帯に便利であると共に、使い勝手がよく女性にとっての必需品であり外出時には常に携行している。
【０００３】
そのコンパクトミラーは、一般的に円形や四角形の合成樹脂製ケース本体の内面側に鏡板を取り付け、その鏡版を被覆する合成樹脂製の蓋体をケース本体の基部でヒンジ連結して開閉自在とする二つ折りタイプのものが知られている。(例えば、特許文献１、２参照)
【０００４】
また、前記のものと逆に合成樹脂製の蓋体の内面側に鏡板を取り付け、その蓋体をケース本体の基部にヒンジ連結してケース本体の凹部に嵌脱自在とする二つ折りタイプのものが知られている。(例えば、特許文献３参照)
【０００５】
上記のコンパクトミラーに用いられている鏡板は実寸大の像を映す平面鏡であるから、身だしなみなどを整える通常の使用において何ら問題はないが、例えば、コンタクトレンズ装着時の位置ズレを直す時、またはアイシャドー、アイライン、マスカラなどのアイ・メーキヤップをする時など、目の部分を拡大して見たい時などには適していなかった。
【０００６】
そのような欠点を解消するコンパクトミラーとして、一方のケース本体の内面側に平面鏡を取り付けて通常の大きさの像を映すと共に、他方の蓋体の内面側に凹面鏡を取り付けて拡大して映す像のコンパクトミラーが知られている。(例えば、特許文献４，５参照)
【０００７】
【特許文献１】登録実用新案３０６３７２８号公報
【特許文献２】登録実用新案３０６８５９９号公報
【特許文献３】実開平３−７２８１４号公報
【特許文献４】実公昭５５−２５８４１号公報
【特許文献５】実開平５−８８４０８号公報
【発明の開示】
【発明が解決しようとする課題】
【０００８】
しかしながら、前記の特許文献４，５の拡大鏡は凹面鏡で形成されている。この凹面鏡は、物体が焦点よりも鏡の近くにある場合、拡大された正立像（虚像）となり、凹面鏡の直ぐ近くに顔を近づけると、顔が大きく映り凹面鏡に映った像は歪みが生じて平面鏡のような正確な形を得る事ができないと言う欠点があった。
【０００９】
また、通常、その凹面鏡は透明なガラスなどの透明層と、その裏面に設けられる反射材層とからなり、破損する虞があると共に透明層の裏面および反射材層の表面が中心部から周縁に向かって手前側に向かうように湾曲しており、透明層の表面も同様に湾曲していることから、蓋体に取り付けるのに手間を要すると言った問題点があった。
【００１０】
上記のような問題点を解決するものとして、本発明者は先に、実願２００４−００４６５１として、表面側に凹部を有するケース本体と、内面側に平面鏡を取り付けた蓋体とを基部で枢着し、蓋体をケース本体の凹部に嵌脱自在とする二つ折タイプの携帯鏡で、透明ケース本体の底面板の内面側に中央部が周辺部より厚く形成した凸レンズ作用をなすクリアな円形透視部を設け、その円形透視部を透して平面鏡に映る像を拡大する携帯鏡を考案し、蓋体が折り畳まれた状態であっても、拡大鏡として使用できる携帯鏡を提案して好評を得ている。
【００１１】
しかしながら、この携帯鏡をハンドバッグやポケットに収容して携帯すると、透明ケース本体がハンドバッグ内に入れた他物と擦れ合って、傷つくことになり透明ケース本体を透して平面鏡に映しだされる像が鮮明にならないという問題があった。
【００１２】
本発明は、上記のような問題点を解決することを課題として開発されたもので、通常に映る平面鏡としては勿論のこと、平面鏡の前面に凸レンズの働きをする透明なプラスチック板を重ねて平面鏡上の像を拡大し歪みのない拡大鏡にもなり、例えば、コンタクトレンズの位置ズレを直す時、あるいはアイシャドー、アイライン、マスカラなどのアイ・メーキヤップをする時の局部を大きく映し出すのに便利なコンパクトミラーを提供することを目的とするものである。
【課題を解決するための手段】
【００１３】
上記の課題を解決し、その目的を達成する手段として、ケース本体と蓋体の間に透明なプラスチック板を介在して上端部をヒンジ結合した３部材からなるコンパクトミラーであって、蓋体の内面側に平面鏡を取り付けると共に、透明なプラスチック板の片面を円弧面に形成して凸レンズ作用をなすクリアな透視部を設けたことを特徴とするコンパクトミラーを開発し、採用した。
【００１４】
また、本発明は上記のように構成したコンパクトミラーにおいて、ケース本体、蓋体、透明なプラスチック板は正面形状が概略円形に形成されているコンパクトミラー、およびケース本体、蓋体、透明なプラスチック板は正面形状が概略四角形に形成されているコンパクトミラーを開発し、採用した。
【発明の効果】
【００１５】
ケース本体と蓋体との間に片面を円弧面にした透明なプラスチック板を介在してあるから、その透明なプラスチック板と平面鏡との組み合わせ構造によって、透明なプラスチック板が凸レンズの作用をなしクリアな透視部を覗けば平面鏡に拡大された像が映しだされ拡大鏡となり、例えば、アイシャドー、アイライン、マスカラなどのアイ・メーキヤップや眉毛など細い部分の化粧を行う時の局部拡大鏡として使用でき非常に便利になる。
【００１６】
また、平面鏡と片面を円弧面にした透明なプラスチック板との組み合わせ構造によって拡大鏡となっているから、従来の凹面鏡による拡大鏡のような像の歪みがなくなり平面鏡に写る像が鮮明であると共に破損する虞がない。さらに、平面鏡の前に重合する透明なプラスチック板を回動することにより、平面鏡が表れて通常の手鏡としても使用できるのは当然のことである。
【発明を実施するための最良の形態】
【００１７】
以下に、本発明の第１実施の形態を添付図面の図１〜図９に基づいて説明すれば、本発明に係るコンパクトミラーは、ケース本体１と、そのケ−ス本体の中に収容される大きさの蓋体２と、ケース本体１と蓋体２の間に介在する透明なプラスチック板３との３部材から構成されており、いずれも正面形状が概略円形のプラスチック板製で形成されている。
【００１８】
ケース本体１は、透明または不透明なプラスチック板製からなり、円形の平坦な底板４の周縁にヒンジ部５が嵌る凹部６を除いた部分に上方に向かって周壁面７を突設して表面側を凹面８に形成し透明なプラスチック板３が収納されるようになっている。９は蓋体２のヒンジ部５が嵌る凹部６の左右の周壁端面に穿設した軸孔で、その軸孔９にピン軸１０を挿通することによって蓋体２が回動自在に枢着結合されている。１１は下方部の周壁面７を欠除して形成した係合凹部である。
【００１９】
蓋体２はケース本体１と同様の透明または不透明なプラスチック板製であり、ケース本体１内にキッチリ嵌る形状と大きさに形成されており、その内面側に平面鏡１２を貼着してある。この蓋体２は前述のようにヒンジ部５によって蓋体２が回動自在に取り付けられている。１３は蓋体２の下端部に突出する指掛け片でケース本体１の係合凹部１１と係合するようになっている。
【００２０】
透明なプラスチック板３は、円形の上端部を接線方向に欠除した形状で、前記のケース本体１と蓋体２の間に介在された透明アクリル樹脂板であり、上端の軸着部１４がヒンジ部５のピン軸９によって回動自在になっていると共に、高さ方向の中央部よりやや上方から下方部にかけて片面を円弧面１５に形成してあり、その円弧面１５の部分はクリアな透視部１６になっている。この透明なプラスチック板３が凸レンズの作用をする。
【００２１】
このように構成した本発明の第１実施の使用状態を作用、効果と共に説明すると、図１の蓋体２が閉じた状態から、蓋体２を起こし１８０度回動すれば、ケース本体１と蓋体２が上下連設した状態になり、蓋体２の内面に取り付けた平面鏡１２が現れ通常の手鏡として使用できる（図６）。
【００２２】
この手鏡の状態から、ケース本体１の凹面８に収容されている透明のプラスチック板３を１８０度回動して平面鏡１２の前面に重ね合わせると、透明のプラスチック板３の円弧面１５により、凸レンズの作用をなしクリアな透視部１６を覗けば平面鏡１２に写る像が拡大されて拡大鏡になる(図７)。
【００２３】
また、ケース体１と蓋体２が上下に連設する手鏡で拡大鏡となった図７の状態から蓋体２と共に透明なプラスチック板３をさらに９０度以上回動して、ケース本体１を机や台などに載置することにより図８，９に示すように、卓上鏡として利用することができる。この卓上鏡に利用するときにおいても、平面鏡１２の前面に透明なプラスチック板３を組み合わせれば拡大鏡になり、透明なプラスチック板３をケース体１に収容して平面鏡１２を外面に現せば通常の平面鏡になる。
【００２４】
図１０〜図１１に示すのは本発明の第２実施の形態を示すもので、上記第１実施の形態と相違しているのは、ケース本体１、蓋体２、透明なプラスチッ板３を概略四角形に形成した点のみであって、その材質及びその他の構成並びに作用効果は同一であるから、同一部分には同一符号を付し、かつ構成ならびに作用、効果については説明するのを省略した。
【００２５】
以上、主要な実施の形態について説明したが、本発明はこれらの実施の形態に限定されるものではなく、本発明の目的を達成でき、かつ発明の要旨を逸脱しない範囲内で種々設計変更が可能であり、それらも全て本考案の範囲内に包含されるものである。
【産業上の利用可能性】
【００２６】
本発明はコンパクトミラーだけでなく、比較的大きな鏡の場合でも利用できると共に、円形、四角形だけでなく、楕円形、六角形などの鏡にも利用できるものである。
【図面の簡単な説明】
【００２７】
【図１】本発明の第１実施形態の正面図である。
【図２】図１の右側面図である。
【図３】図１の背面図である。
【図４】図１のＡ−Ａ線断面図である。
【図５】蓋体と透明なプラスチック板を回動する状態の縦断側面図である。
【図６】蓋体を起立して手鏡とした状態の正面図である。
【図７】透明なプラスチック板を起立して拡大鏡とした正面図である。
【図８】卓上鏡とした状態の側面図である。
【図９】図８の縦断面図である。
【図１０】本発明の第２実施形態の正面図である。
【図１１】図１０のＢ−Ｂ線断面図である。
【符号の説明】
【００２８】
１    ケース本体
２    蓋体
３    透明なプラスチック板
１２  平面鏡
１５  円弧面
１６  透視部
【図１】
2006141512.tif 000003
【図２】
2006141512.tif 000004
【図３】
2006141512.tif 000005
【図４】
2006141512.tif 000006
【図５】
2006141512.tif 000007
【図６】
2006141512.tif 000008
【図７】
2006141512.tif 000009
【図８】
2006141512.tif 000010
【図９】
2006141512.tif 000011
【図１０】
2006141512.tif 000012
【図１１】
2006141512.tif 000013